(57)【要約】  【課題】大きい地震の揺れや震災時、スムーズに避難する出口を確保できるドアを提供する。    【解決手段】外側ドア１１に鉄でできているドア上部角部材１を装着する。ドア上部角部材１を鉄筋のコネクティングロット２とラッチ３まで繋げる。ラッチ３はドアダンパー５のストッパーとしての役割を果たしているものである。    中ドア本体４には、外側ドア１１と繋がる蝶番８と、ドアダンパー５を設置する。蝶番８は、中ドア本体４の縦方向真ん中に１つ設置する。外側ドア１１と中ドア本体４のドア接触面４面には斜めの角度（例えば約３０度）を設ける。外側ドア１１の上部には通知装置が設置されている。通知装置はランプ６とスピーカー７を備える。中ドア本体４が開くことによりセンサーが作動し、ランプ６が点灯する。同時にスピーカー７より警告アナウンスが流れる。【選択図】図１
2020056150.tif 000002
【特許請求の範囲】
【請求項１】
外側ドアと、
前記外側ドアの内側に設置される中ドア本体と、
前記外側ドアの上部に装着されるドア上部角部材と、
前記中ドア本体をロックするラッチと、
前記ドア上部角部材と前記ラッチを連結するコネクティングロッドと、
を備えることを特徴とする災害対策ドア。
【請求項２】
請求項１において、
前記中ドア本体の接触面４面に斜めの角度を設けたことを特徴とする災害対
策ドア。
【請求項３】
請求項１および２のいずれか１項において、
前記中ドア本体を前記外側ドアに開閉可能に支持する蝶番を備え、
前記蝶番は、１つであり、その設置位置は前記中ドア本体の縦方向真ん中であることを特徴とする災害対策ドア。
【請求項４】
請求項１〜３のいずれか１項において、
前記中ドア本体に設置されるセンサーと、
前記センサーの検出信号に基づいて警告アナウンスを流す通知装置と、
電気点灯させる照明と、
を備えることを特徴とする災害対策ドア。
【発明の詳細な説明】
【技術分野】
【０００１】
この発明は、大きい地震の揺れの衝撃や災害時でも開けることができるドアに関するものである。
【背景技術】
【０００２】
従来のドアは、特許文献１に示すように、地震などの災害発生時、建築物の建具開口部において、枠体に外部応力が加わり変形し、ドア本体がその圧縮力を受けることにより開放不可能となることを防止するための金具が提案されていた。
【先行技術文献】
【特許文献】
【０００３】
【特許文献１】特開2007-247222号公報
【発明の概要】
【発明が解決しようとする課題】
【０００４】
これは、つぎのような欠点があった。
従来、ドアは大きい地震の揺れの衝撃で家の重みなどから歪みが生じ開けることが困難になり外への非難が遅れてしまうなどの問題があった。
ドア上部にローラーの器具を埋め込ませるなどの例もあるが、元からの設置させているドアには蝶番が上下2つある。この場合、ドア周りに圧力がかかり蝶番に歪みが起きる場合がある。蝶番が外向きや内向きに開いてしまうと互いに不釣り合いな負担がかかりドアの開きを妨げてしまう。
本発明は、以上のような欠点をなくすためになされたものである。
【課題を解決するための手段】
【０００５】
本発明の災害対策ドアは、
外側ドアと、
前記外側ドアの内側に設置される中ドア本体と、
前記外側ドアの上部に装着されるドア上部角部材と、
前記中ドア本体をロックするラッチと、
前記ドア上部角部材と前記ラッチを連結するコネクティングロッドと、
を備えることを特徴とする災害対策ドアである。
大きい地震の揺れで前記外側ドアに装着の鉄でできている前記ドア上部角部が動き出し、連結されている前記コネクティングロッドまで動かし前記ラッチのロックが解除される。前記ドア上部角部材が作動する揺れは装着時のネジの調節により設定することができる。
前記ラッチのロックが解除されることで、前記中ドア本体に設置されているドアダンパーにより前記中ドア本体は開放される。
前記ラッチのロック解除は緊急ボタンを設けることでも可能にさせる。前記緊急ボタンは押すことにより前記ラッチのロックが解除されることから大きい地震や災害時の時でも、避難口の確保ができる。
【０００６】
さらに、本発明の災害対策ドアは、
前記中ドア本体の接触面４面に斜めの角度を設けたことを特徴とする災害対策ドアである。
前記中ドア本体の接触面４面の斜めの角度は、大きな地震の揺れの衝撃により家の動きで壁に重さがかかり前記外側ドアとドアフレームの接触面が全面になってしまうことで前記外側ドアが開放されなくなってしまう事がある。
しかし、前記ドア上部角部材が圧力を受けて作動することと前記中ドア本体の接触面４面に斜めの角度（例えば３０度前後が好ましい。）を設けておくことで前記外側ドアと前記中ドア本体の接触面は全面密着を避けることができ、前記中ドア本体を開放することができる。
【０００７】
さらに、本発明の災害対策ドアは、
前記中ドア本体を前記外側ドアに開閉可能に支持する蝶番を備え、
前記蝶番は、１つであり、その設置位置は前記中ドア本体の縦方向真ん中であることを特徴とする災害対策ドアである。
一般のドアには上下の位置に蝶番が設置されているが、この場合、大きな地震の揺れの衝撃でドア周りに圧力がかかり蝶番が別々の方向へ外向きや内向きに開いてしまう。互いに不釣り合いな負担がかかりそれによりドアの開放を妨げてしまう。
しかし、前記蝶番のように１つにすることで前記蝶番がどの角度に曲がってしまったとしても前記中ドア本体を開放することができる。
【０００８】
さらに、本発明の災害対策ドアは、
前記中ドア本体に設置されるセンサーと、
前記センサーの検出信号に基づいて警告アナウンスを流す通知装置と、
電気点灯させる照明と、
を備えることを特徴とする災害対策ドアである。
【発明の効果】
【０００９】
大震災などの緊急時には、一早く外への出口の確保ができることで少し
でも冷静さを保ちスムーズに避難することができる。
【図面の簡単な説明】
【００１０】
【図１】本発明のマンションタイプドアの実施例全体を示す図
【図２】本発明の戸建スライドタイプドアの実施例全体を示す図
【図３】本発明の窓の実施例全体を示す図
【発明を実施するための形態】
【００１１】
〔第１の実施の形態〕
まず第１の実施の形態を説明する。
図１は本発明のマンションタイプドアの実施例を示すもので外側ドア１１
と中ドア本体４の２段式からなる。
【００１２】
外側ドア１１に鉄でできているドア上部角部材１を装着する。ドア上部角部材１を鉄筋のコネクティングロット２とラッチ３まで繋げる。ラッチ３はドアダンパー５のストッパーとしての役割を果たしているものである。
中ドア本体４には、外側ドア１１と繋がる蝶番８と、ドアダンパー５を設置する。蝶番８は、中ドア本体４の縦方向真ん中に１つ設置する。外側ドア１１と中ドア本体４のドア接触面４面には斜めの角度（例えば約３０度）を設ける。
【００１３】
外側ドア１１の上部には通知装置が設置されている。通知装置はランプ６とスピーカー７を備える。中ドア本体４が開くことによりセンサーが作動し、ランプ６が点灯する。同時にスピーカー７より警告アナウンスが流れる。
緊急ボタン９はいかなる場合でも瞬時にラッチ３のロックが解除されるボタンである。
外からの鍵１０は全ての仕組みを施錠する鍵である。
【００１４】
〔第２の実施の形態〕
次に第２の実施の形態を説明する。
図２は本発明の戸建スライドタイプドアの実施例を示すものである。
図１との違う点は外側ドア１１が横にスライドされるドアである。
【００１５】
〔第３の実施の形態〕
次に第３の実施の形態を説明する。
図３は本発明の窓の実施例を示すもので外側窓１１と中窓本体４の２段式からなる。
【００１６】
外側窓１１に鉄でできている窓上部角部材１を装着する。窓上部角部材１を鉄筋のコネクティングロット２とラッチ３まで繋げる。ラッチ３は窓ダンパー５のストッパーとしての役割を果たしているものである。
中窓本体４には、外側窓１１と繋がる蝶番８と、窓ダンパー５を設置する。蝶番８は、中窓本体４の縦方向真ん中に１つ設置する。外側窓１１と中窓本体４の窓接触面４面には斜めの角度（例えば約３０度）を設ける。
【００１７】
外側窓１１の上部には通知装置が設置されている。通知装置はランプ６とスピーカー７を備える。中窓本体４が開くことによりセンサーが作動し、ランプ６が点灯する。同時にスピーカー７より警告アナウンスが流れる。
緊急ボタン９はいかなる場合でも瞬時にラッチ３のロックが解除されるボタンである。
図１と図２にある外からの鍵１０を施錠することで、連動されている鍵１０.１も施錠する。
【００１８】
〔変形例〕
本発明は、上記実施の形態に限らず、例えば、新しいタイプのドアまたは窓に適用することもでき、古いタイプのドアまたは窓に適用することもできる。
【符号の説明】
【００１９】
図１、図２
１  ドア上部角部材
２  コネクティングロット
３  ラッチ
４  中ドア本体
５  ドアダンパー
６  ランプ
７  スピーカー
８  蝶番
９  緊急ボタン
１０  外からの鍵
１０.１  連動されている鍵
１１  外側ドア
図３
１  窓上部角部材
２  コネクティングロット
３  ラッチ
４  中窓本体
５  窓ダンパー
６  ランプ
７  スピーカー
８  蝶番
９  緊急ボタン
１０  外からの鍵
１０.１  連動されている鍵
１１  外側窓
【図１】
2020056150.tif 000003
【図２】
2020056150.tif 000004
【図３】
2020056150.tif 000005